(57)【要約】      （修正有）【課題】本誌又は表紙に綴じ込まれた中綴じした別冊子を有する中綴本を一工程で作製可能な作製方法及び中綴本を提供する。【解決手段】本発明にかかる中綴本１００は、本誌又は表紙１０と、前記本誌又は表紙１０の内部に中綴じされた状態で綴じ込まれている別冊子３０と、を有する中綴本１００において、本誌又は表紙１０と、別冊子３０とをすべて針金綴じする全綴じ部と、別冊子３０のみを針金綴じする別冊子綴じ部と、を有し、本誌又は表紙１０は、別冊子綴じ部に対応するのどの部分に貫通孔１３が形成されていることを特徴とする。【選択図】図３
2018192665.tif 000002
【特許請求の範囲】
【請求項１】
本誌又は表紙と、
前記本誌又は表紙の内部に中綴じされた状態で綴じ込まれている別冊子と、を有する中綴本において、
少なくとも別冊子を針金綴じする別冊子綴じ部、を有し、
前記本誌又は表紙は、少なくとも別冊子綴じ部に対応するのどの部分に貫通孔が形成されていることを特徴とする中綴本。
【請求項２】
前記貫通孔に代えて、ミシン目孔が形成されていることを特徴とする請求項１に記載の中綴本。
【請求項３】
前記ミシン目孔は、のどの全長すべてに設けられていることを特徴とする請求項２に記載の中綴本。
【請求項４】
前記ミシン目孔は、のどの中央を除き、端部側に設けられていることを特徴とする請求項２に記載の中綴本。
【請求項５】
前記ミシン目孔は、のどの中央側にのみ設けられていることを特徴とする請求項２に記載の中綴本。
【請求項６】
前記本誌又は表紙と、別冊子と、をすべて針金綴じする全綴じ部を有することを特徴とする請求項１から５のいずれか１項に記載の中綴本。
【請求項７】
本誌又は表紙の内部に中綴じされた状態で綴じ込まれている別冊子を有する中綴本を製本する製本方法において、
前記本誌又は表紙には、のどの部分に針金綴じする針金の幅と同様又はそれより大きい貫通孔又はミシン目孔を少なくとも１つ以上穿設する穿設工程と、
本誌又は表紙と、別冊子の印刷物を丁合いする丁合い工程と、
前記貫通孔の部分とを針金綴じする針金綴じ工程と、
を備えたことを特徴とする製本方法。
【請求項８】
前記針金綴じ工程は、前記貫通孔の部分と、前記貫通孔を有しない部分とを同時に針金綴じすることを特徴とする請求項７に記載の製本方法。
【発明の詳細な説明】
【技術分野】
【０００１】
本発明は、中綴本及び中綴本を製本する製本方法に関する。
【背景技術】
【０００２】
中綴本形態の本誌と該本誌に綴じ込んだ別冊子を有する中綴本に関して、別冊子をあらかじめ１又は２箇所で綴じ込み、さらに別冊子を本誌に綴じ込んだことを特徴とするものが提案されている。
【０００３】
かかる中綴本によれば、通常の印刷工程で生産性を損なわずに得られた冊子状の折丁や別冊子を、中綴製本機で本誌を構成する他の折丁と共に綴じ込むことにより、別冊子を容易に、しかも、体裁よく分離させることができる別冊子を有する中綴本を提供することができる。
【０００４】
しかしながら、かかる中綴本は、別冊子を中綴じする工程と、中綴じした別冊子を本誌にさらに中綴じする必要があり、中綴じする工程が２回必要であり、製本に時間及びコストがかかるという問題点がある。
【先行技術文献】
【特許文献】
【０００５】
【特許文献１】実開平６−５７６６５号公報
【発明の概要】
【発明が解決しようとする課題】
【０００６】
本発明は、このような課題を鑑みなされたものであり、本誌又は表紙に綴じ込まれた中綴じした別冊子を有する中綴本を一工程で作製可能な作製方法及び中綴本を提供することを主たる目的とする。
【課題を解決するための手段】
【０００７】
本発明は、上述の主目的を達成するために、以下の手段を採った。
【０００８】
本発明にかかる中綴本は、
本誌又は表紙と、
前記本誌又は表紙の内部に中綴じされた状態で綴じ込まれている別冊子と、を有する中綴本において、
少なくとも別冊子を針金綴じする別冊子綴じ部、を有し、
前記本誌又は表紙は、少なくとも別冊子綴じ部に対応するのどの部分に貫通孔が形成されていることを特徴とする。
【０００９】
また、本発明にかかる中綴本において、前記貫通孔に代えて、ミシン目孔が形成されていることを特徴とするものであってもよい。
【００１０】
さらに、本発明にかかる中綴本において、前記ミシン目孔は、のどの全長すべてに設けられていることを特徴とするものであってもよい。
【００１１】
さらに、本発明にかかる中綴本において、前記ミシン目孔は、のどの中央を除き、端部側に設けられていることを特徴とするものであってもよい。
【００１２】
さらに、本発明にかかる中綴本において、前記ミシン目孔は、のどの中央側にのみ設けられていることを特徴とするものであってもよい。
【００１３】
さらに、本発明にかかる中綴本において、前記本誌又は表紙と、別冊子と、をすべて針金綴じする全綴じ部を有することを特徴とするものであってもよい。
【００１４】
さらに、本発明は、中綴本の製本方法を提供する。本発明にかかる中綴本の製本方法は、
本誌又は表紙の内部に中綴じされた状態で綴じ込まれている別冊子を有する中綴本を製本する製本方法において、
前記本誌又は表紙には、のどの部分に針金綴じする針金の幅と同様又はそれより大きい貫通孔又はミシン目孔を少なくとも１つ以上穿設する穿設工程と、
本誌又は表紙と、別冊子の印刷物を丁合いする丁合い工程と、
前記貫通孔の部分とを針金綴じする針金綴じ工程と、
を備えたことを特徴とする。
【００１５】
さらに、本発明にかかる中綴本の製本方法において、
前記針金綴じ工程は、前記貫通孔の部分と、前記貫通孔を有しない部分とを同時に針金綴じすることを特徴とするものであってもよい。
【図面の簡単な説明】
【００１６】
【図１】図１は、第１実施形態にかかる中綴本１００の斜視図である。
【図２】図２は、第１実施形態にかかる中綴本１００の表紙１０を示す斜視図である。
【図３】図３は、第１実施形態にかかる中綴本１００の作製方法を説明する説明図である。
【図４】図４は、第１実施形態にかかる中綴本１００の断面図である。
【図５】図５は、第２実施形態にかかる中綴本１００の作製方法を説明する説明図である。
【図６】図６は、第３実施形態にかかる中綴本１００の作製方法を説明する説明図である。
【図７】図７は、第４実施形態にかかる中綴本１００の作製方法を説明する説明図である。
【図８】図８は、第５実施形態にかかる中綴本１００の作製方法を説明する説明図である。
【図９】図９は、第６実施形態にかかる中綴本１００の作製方法を説明する説明図である。
【図１０】図１０は、本実施形態の変形例にかかる中綴本１００の斜視図である。
【発明を実施するための形態】
【００１７】
本発明にかかる中綴本１００の実施の形態について、図面を参照しつつ詳細に説明する。以下に説明する実施の形態及び図面は、本発明の実施の形態の一部を例示するものであり、これらの構成に限定する目的に使用されるものではなく、本発明の要旨を逸脱しない範囲において適宜変更することができる。なお、各図において対応する構成要素には同一又は類似の符号が付されている。なお、本明細書又は特許請求の範囲において、「全綴じ部６２」とは、本誌又は表紙１０に貫通孔又はミシン目孔が形成されていない部分で本誌又は表紙１０と別冊子を針金綴じする部分をいい、「別冊子綴じ部」とは、中綴本１００の本誌又は表紙１０に貫通孔又はミシン目孔を有する部分であって、かつ別冊子３０の針金綴じする部分をいう。また、「のど」とは、背及びその近傍を指す。
【００１８】
（第１実施形態）
第１実施形態にかかる中綴本１００が図１に示されている。図１Ａは、本実施形態にかかる中綴本１００の斜視図である。図１Ｂは、本誌又は表紙１０と別冊子３０が分離した状態を示す図である。
【００１９】
第１実施形態にかかる中綴本１００は、主として、本誌又は表紙１０と、この本誌又は表紙１０の折丁と共に内部に綴じ込んである別冊子３０と、これらを綴る針金５０（図３参照）と、を有する。
【００２０】
本誌又は表紙１０は、中綴本１００の少なくとも表表紙と裏表紙を含む折丁であり、表紙のみであってもよいし、表紙に複数の本文の版面をページ折したものであってもよい。
【００２１】
別冊子３０は、本誌又は表紙１０に中綴じの形態で綴じ込まれている冊子であり、任意に本誌又は表紙１０から引き離して、個別の冊子として読書、保存することができる。別冊子３０の大きさは特に限定するものではなく、本誌又は表紙１０と同時に裁断して本誌又は表紙１０と同一の大きさに作製してもよいし、本誌又は表紙１０より小さい冊子としてもよい。
【００２２】
次に、本発明にかかる中綴本１００の詳細な構成を製本方法と同時に説明する。まず、図２に示すように、中綴本１００の本誌又は表紙１０ののどの部分であって、かつ別冊子３０の針金綴じをする部分（別冊子綴じ部６１）に相当する位置に別冊子３０の中綴じ用の針金５０（図３参照）が通過可能な貫通孔１３を設ける。貫通孔１３は、針金綴じする針金の幅と同様又はそれより大きい貫通孔１３を穿設する。貫通孔１３は、針金５０の形態に合わせて長方形に切り抜いてもよいし、単なる切込みであってもよい。次に、別冊子３０を構成する折丁を本誌又は表紙１０の綴じ込み部分に丁合いする。丁合いされた本誌又は表紙１０と別冊子３０の折丁のすべてを中綴製本機により針金綴じを行う。なお、丁合いは中綴じ製本機により同時に行っても構わない。針金綴じする際に、のどの部分のうち、少なくとも貫通孔１３を有する部分（別冊子綴じ部６１）と、貫通孔１３を有しない部分であってかつ別冊子３０と重なっている部分（全綴じ部６２）に針金綴じを行う。このように針金綴じを行うことによって、図４に示すように、少なくとも貫通孔１３を有する別冊子綴じ部６１は、針金５０が本誌又は表紙１０の貫通孔１３を通過し、別冊子３０のみを針金綴じすることになる。一方、全綴じ部６２では、本誌又は表紙１０及び別冊子３０の両方が針金綴じされるので、本誌又は表紙１０及び別冊子３０が一体に製本される。なお、それぞれ別冊子綴じ部６１及び全綴じ部６２は、好ましくはそれぞれ２箇所以上綴るとよい。
【００２３】
このように作製された中綴本１００の製本方法によれば、別冊子３０のみを針金綴じしている針金５０ａと、本誌又は表紙１０及び別冊子３０の両方を針金綴じしている針金５０ｂを同時に１回の針金綴じ工程で作製することができる。また、こうして作製された中綴本１００は、別冊子３０を読んだり、保存したりする場合には、本誌又は表紙１０と同時に綴じられている針金５０ｂを外すことで、容易に製本された別冊子３０を取り出すことができる。
【００２４】
（第２実施形態）
第２実施形態にかかる中綴本１００が図５に示されている。第２実施形態にかかる中綴本１００は、第１実施形態における本誌又は表紙１０ののどの部分の貫通孔１３に代えてミシン目孔１３ａに形成されている。その他の点は第１実施形態と同様であるので、説明を省略する。
【００２５】
製本する際にこのミシン目孔１３ａの部分に針金綴じする際に、比較的強い力で針金綴じした場合には、ミシン目孔１３ａを破断した状態で針金綴じすることができ、上述した第１実施形態と同様の中綴本１００を作製することができる。
【００２６】
一方、比較的弱い力でミシン目孔１３ａの部分を針金綴じした場合には、ミシン目孔１３ａが破断されず、ミシン目孔１３ａの部分においても本誌又は表紙１０と別冊子３０とが一体に針金綴じされることになる。別冊子３０を読んだり、保存したりする場合には、全綴じ部６２の針金５０ｂを外すとともに、別冊子３０を本誌又は表紙１０から引き離すことで、ミシン目孔１３ａは容易に破断して製本された別冊子３０を取り外すことができる。このような中綴本１００にすることによって、ミシン目孔１３ａの部分が貫通孔１３ではないため、見た目が美しく、また、別冊子３０を取り外さずに複数使用された場合であっても貫通孔１３と異なり、孔が広がることがなく、のどの部分をきれいなまま維持することができる。
【００２７】
（第３実施形態）
第３実施形態にかかる中綴本１００が図６に示されている。第３実施形態にかかる中綴本１００は、第２実施形態に対して、ミシン目孔１３ａを有しない部分における全綴じ部６２が設けられていない点が異なる。その他の点は、第２実施形態と同様である。
【００２８】
かかる中綴本１００によれば、ミシン目孔１３ａを有するのどの部分で本誌又は表紙１０と別冊子３０とが針金５０ａで一体に針金綴じされる。別冊子３０を読んだり、保存したりする場合には、別冊子３０を本誌又は表紙１０から引き離すことで、ミシン目孔１３ａは容易に破断して製本された別冊子３０を取り外すことができる。
【００２９】
このように、ミシン目孔１３ａの部分で本誌又は表紙１０と別冊子３０を中綴じすることによって、針金の使用本数を低減させることができ、かつ従来の中綴じ製本機の設定のまま、別冊子３０を有する中綴本１００を作製することができる。
【００３０】
（第４実施形態）
第４実施形態にかかる中綴本１００が図７に示されている。第４実施形態にかかる中綴本１００は、第３実施形態に対して、ミシン目孔１３ａがのどの端部を除き、別冊子綴じ部を形成する２つの針金５０ａを含むように繋がったミシン目孔１３ａが中央に形成されている。好ましくは、別冊子綴じ部の針金１３ａの両側にミシン目孔１３ａが設けられるようにするとよい。
【００３１】
かかるミシン目孔１３ａとすることによって、針金綴じする際に、針金の位置が多少のどの部分に沿ってずれた場合であっても、問題なくミシン目孔１３ａの部分に針金綴じすることができる。別冊子３０を読んだり、保存したりする場合には、別冊子３０を本誌又は表紙１０から引き離すことで、ミシン目孔１３ａは容易に破断して製本された別冊子３０を取り外すことができる。
【００３２】
（第５実施形態）
第５実施形態にかかる中綴本１００が、図８に示されている。第５実施形態にかかる中綴本１００は、第３実施形態に対して、ミシン目孔１３ａが別冊子綴じ部を形成する２つの針金５０ａをそれぞれ含むように、中央を除き、のどの端部から設けられている点が異なる。その他の点は第３実施形態と同様である。
【００３３】
かかる構成を採用することによって、本誌又は表紙１０が厚かったり、枚数が多かった場合に別冊子３０を引き離すことによって、容易にミシン目孔１３ａが破断しなかった場合に、端部からミシン目孔に沿って引き裂くことによって、別冊子３０を取り外すことができる。
【００３４】
（第６実施形態）
第６実施形態にかかる中綴本１００が、図９に示されている。第５実施形態にかかる中綴本１００は、第３実施形態に対して、ミシン目孔１３ａがのどの全長に渡って設けられている点が異なる。その他の点は第３実施形態と同様である。
【００３５】
かかる構成を採用することによって、本誌又は表紙１０から別冊子３０を引き離すことによって、別冊子３０を取り出す方法以外に、本誌又は表紙１０をのどの部分から表表紙側と裏表紙側とを２つに引き裂くことによって、別冊子３０を取り外すことができる。
【００３６】
なお、本発明は上述した実施形態に何ら限定されることはなく、本発明の技術的範囲に属する限り種々の態様で実施し得る。
【００３７】
上述した第１実施形態及び第２実施形態においては、本誌又は表紙１０と別冊子３０の大きさが同じものを例として説明したが、本誌又は表紙１０より小さい別冊子３０を使用してもよい。この場合に、本誌のみを綴る針金を有していてもよい。
【００３８】
また、上述した第１実施形態及び第２実施形態においては、すべて折丁による製本について説明したが、図１０に示すように、ＣＤや付録物８０を有するものであってもよい。このような製本は付録物８０を取り出した後、別冊子のみを保存することが多いので特に有効である。
【産業上の利用可能性】
【００３９】
上述した実施形態で示すように、別冊子を有する中綴本として利用することができる。
【符号の説明】
【００４０】
１０…表紙、１３…貫通孔、１３ａ…ミシン目孔、３０…別冊子、５０…針金、５０ａ…針金、５０ｂ…針金、６１…別冊子綴じ部、６２…全綴じ部、８０…付録物、１００…中綴本
【図１】
2018192665.tif 000003
【図２】
2018192665.tif 000004
【図３】
2018192665.tif 000005
【図４】
2018192665.tif 000006
【図５】
2018192665.tif 000007
【図６】
2018192665.tif 000008
【図７】
2018192665.tif 000009
【図８】
2018192665.tif 000010
【図９】
2018192665.tif 000011
【図１０】
2018192665.tif 000012